(57)【特許請求の範囲】
【請求項１】
セルおよび装置を含む無線ネットワーク（１００）における方法であって、
前記装置が、前記セルに関連する情報を受信するステップ（８１０）と、
前記装置に関連するプロセッサが、受信した前記情報に基づいて、前記セルに対する優先度を決定するステップ（８２０）と、
前記プロセッサが、決定された前記優先度を前記セルに対して割り当てるステップ（８３０）と、
前記装置が、前記セルに関連する機能停止を検出するステップ（８４０）と、
前記セルに割り当てられた優先度以下の優先度を有する１以上の隣接セルから、前記セルへ一時的なサービスを提供するステップ（８５０）と、
前記セルに割り当てられた前記優先度より高い優先度を有する１以上の他の隣接するセルに関連するリソースが現に十分に利用されていない場合、当該１以上の他の隣接するセルから、前記セルへ一時的なサービスを提供するステップと、
を備えることを特徴とする方法。
【請求項２】
前記装置は、ドメインマネージャ（１２６）、ネットワークマネージャ、無線ネットワーク制御装置（１２４）、または基地局（１２２）の、少なくとも１つを含む、ことを特徴とする請求項１に記載の方法。
【請求項３】
前記装置が前記セルに関連する情報を受信するステップ（８１０）は、
セルに関連するビジネス情報を受信するステップ（９００）、
セルに関連する時間情報を受信するステップ（９１０）、
セルに関連する負荷情報を受信するステップ（９２０）、
セルに関連する距離情報を受信するステップ（９３０）、または、
セルに関連するユーザ入力情報または自動入力情報を受信するステップ（９４０）の、少なくとも１つのステップを含むことを特徴とする請求項１に記載の方法。
【請求項４】
前記ビジネス情報は、前記セルの中に位置する、庁舎、空港、公共交通機関の建物、病院、住宅、工業ビル、競技場、高速道路、または周辺道路の、少なくとも１つに関連する情報を含み、
前記時間情報は、曜日、時刻、または日にちの、少なくとも１つに関連する情報を含み、
前記負荷情報は、前記セルにより利用されるリソースに関連する情報を含み、
前記距離情報は、前記セルと、前記１以上の隣接セルとの間の距離に関連する情報を含み、
前記ユーザ入力情報は優先度情報を含み、
前記自動入力情報は、前記装置により自動的に生成される優先度情報を含む、
ことを特徴とする、請求項３に記載の方法。
【請求項５】
前記装置に関連するプロセッサが前記セルに対する優先度を決定するステップ（８２０）は、
前記ビジネス情報に基づいて前記セルに対する優先度を決定するステップ（１０００）、
前記時間情報に基づいて前記セルに対する優先度を決定するステップ（１０１０）、
前記負荷情報に基づいて前記セルに対する優先度を決定するステップ（１０２０）、
前記距離情報に基づいて前記セルに対する優先度を決定するステップ（１０３０）、または、
前記ユーザ入力情報または前記自動入力情報に基づいて前記セルに対する優先度を決定するステップ（１０４０）の、少なくとも１つのステップを含むことを特徴とする請求項３に記載の方法。
【請求項６】
前記装置が前記セルに関連する機能停止を検出するステップ（８４０）は、
前記セルの部分的な障害を検出するステップ（１１００）、または、
前記セルの全体的な障害を検出するステップ（１１１０）の、いずれかを含む、ことを特徴とする請求項１に記載の方法。
【請求項７】
前記セルへ一時的なサービスを提供するステップ（８５０）は、さらに、
前記１以上の隣接セルと関連する情報を受信するステップ（１２００）と、
前記１以上の隣接セルと関連する前記情報に基づいて、前記１以上の隣接セルに優先度を割り当てるステップ（１２１０）と、
を備えることを特徴とする請求項１に記載の方法。
【請求項８】
複数のセル（５１０）を含む無線ネットワーク（１００）における装置であって、
複数の命令を記憶するメモリと、
プロセッサであって、
前記複数のセル（５１０）に関連する情報を受信し、
受信した前記情報に基づいて、前記複数のセル（５１０）のそれぞれに対する優先度（５２０）を決定し、
決定した前記優先度（５２０）を前記複数のセル（５１０）のうち対応する１つに割り当て、
前記複数のセル（５１０）のうちの１つに関連する機能停止を検出し、
前記複数のセル（５１０）のうちの前記１つに割り当てられた優先度（５２０）以下の優先度（５２０）を有する１以上の隣接セル（５１０）から、前記複数のセル（５１０）のうちの前記１つに一時的なサービスを提供し、
前記複数のセル（５１０）のうちの前記１つに割り当てられた前記優先度（５２０）より高い優先度（５２０）を有する１以上の他の隣接するセル（５１０）に関連するリソースが現に十分に利用されていない場合、当該１以上の他の隣接するセル（５１０）から、前記セルへ一時的なサービスを提供するために、前記メモリにおける命令を実行する前記プロセッサと、
を備えることを特徴とする装置。
【請求項９】
前記装置は、ドメインマネージャ（１２６）、ネットワークマネージャ、無線ネットワーク制御装置（１２４）、または基地局（１２２）の、少なくとも１つを含む、ことを特徴とする請求項８に記載の装置。
【請求項１０】
前記複数のセル（５１０）に関連する情報を受信するときに、前記プロセッサは、さらに、
前記複数のセル（５１０）に関連するビジネス情報の受信、
前記複数のセル（５１０）に関連する時間情報（６１０）の受信、
前記複数のセル（５１０）に関連する負荷情報（６３０）の受信、
前記複数のセル（５１０）に関連する距離情報（６５０）の受信、または、
前記複数のセル（５１０）に関連するユーザ入力情報または自動入力情報（６７０／６８０）の受信、
の、少なくとも１つを行うために、前記メモリにおける命令を実行することを特徴とする請求項８に記載の装置。
【請求項１１】
前記ビジネス情報は、前記複数のセル（５１０）の中に位置する、庁舎、空港、公共交通機関の建物、病院、住宅、工業ビル、競技場、高速道路、または周辺道路の、少なくとも１つに関連する情報を含み、
前記時間情報（６１０）は、曜日、時刻、または日にちの、少なくとも１つに関連する情報を含み、
前記負荷情報（６３０）は、前記複数のセル（５１０）により利用されるリソースに関連する情報を含み、
前記距離情報（６５０）は、前記複数のセル（５１０）間の距離に関連する情報を含み、
前記ユーザ入力情報（６７０）は優先度情報を含み、
前記自動入力情報（６８０）は、前記装置により自動的に生成される優先度情報を含む、
ことを特徴とする、請求項１０に記載の装置。
【請求項１２】
前記複数のセル（５１０）のそれぞれに対する優先度（５２０）を決定するときに、前記プロセッサは、さらに、
前記ビジネス情報に基づいて前記複数のセル（５１０）のそれぞれに対する優先度（５２０）の決定、
前記時間情報に基づいて前記複数のセル（５１０）のそれぞれに対する優先度（５２０）の決定、
前記負荷情報に基づいて前記複数のセル（５１０）のそれぞれに対する優先度（５２０）の決定、
前記距離情報に基づいて前記複数のセル（５１０）のそれぞれに対する優先度（５２０）の決定、または、
前記ユーザ入力情報または前記自動入力情報に基づいて前記複数のセル（５１０）のそれぞれに対する優先度（５２０）の決定（１０４０）の、少なくとも１つを行うために、前記メモリにおける命令を実行することを特徴とする請求項１０に記載の装置。
【請求項１３】
前記複数のセル（５１０）の１つに関連する機能停止を検出するときに、前記プロセッサは、さらに、
前記複数のセル（５１０）の前記１つの部分的な障害の検出、または、
前記複数のセル（５１０）の前記１つの全体的な障害の検出、のいずれかを行うために、前記メモリにおける命令を実行することを特徴とする請求項８に記載の装置。
【請求項１４】
前記複数のセル（５１０）のうちの前記１つへ一時的なサービスを提供するときに、前記プロセッサは、さらに、
前記１以上の隣接セルと関連する情報を受信し、
前記１以上の隣接セルと関連する前記情報に基づいて、前記１以上の隣接セル（５１０）から、前記複数のセル（５１０）のうちの前記１つへの一時的なサービスを提供するために、前記メモリにおける命令を実行することを特徴とする請求項８に記載の装置。
【請求項１５】
セル（５１０）を含む無線ネットワーク（１００）における装置であって、
前記セル（５１０）に関連する情報を受信する手段と、
受信した前記情報に基づいて、前記セル（５１０）に対する優先度（５２０）を決定する手段と、
決定された前記優先度（５２０）を前記セル（５１０）に割り当てる手段と、
前記セル（５１０）に関連する機能停止を検出する手段と、
前記セル（５１０）に割り当てられた優先度（５２０）以下の優先度（５２０）を有する１以上の隣接セル（５１０）から、前記セル（５１０）へ一時的なサービスを提供する手段と、
前記セル（５１０）に割り当てられた前記優先度（５２０）より高い優先度（５２０）を有する１以上の他の隣接するセル（５１０）に関連するリソースが現に十分に利用されていない場合、当該１以上の他の隣接するセル（５１０）から、前記セル（５１０）へ一時的なサービスを提供する手段と、
を備えることを特徴とする装置。
【請求項１６】
前記一時的なサービスは前記セル（５１０）から、前記セル（５１０）に関連するユーザ装置（１１０）に提供される、
ことを特徴とする請求項１５に記載の装置。
【請求項１７】
前記１以上の隣接セル（５１０）に関連する情報を受信する手段と、
前記１以上の隣接セル（５１０）に関連する前記情報に基づいて、前記１以上の隣接セル（５１０）に優先度（５２０）を割り当てる手段と、
をさらに備えることを特徴とする請求項１５に記載の装置。
【発明の詳細な説明】
【技術分野】
【０００１】
ここで説明される実施形態は一般に通信システムに関し、より具体的には、優先度を用いた電気通信システムにおけるセルの機能停止の補償に関する。
【背景技術】
【０００２】
ときおり、セルラネットワークにおけるセル（又は基地局）はあらゆるサービス（又は限定されたサービスのみ）を提供することができない。これは、「セルの機能停止」、「サービスの機能停止」又は「圏外セル」と呼ばれ、うまくいけば、これは一時的な災難にすぎない。セルの機能が停止したセルは、セルラネットワークにおける他のセル（例えば、影響を受けるセルに隣接して提供される複数のセル）と重なるかもしれない。そのような重なりによって、その他のセル（「補助セル」とも呼ぶ）は、ある程度、影響を受けるセルのエリア内のユーザ装置（例えば移動電話）への、及び当該ユーザ装置からのトラフィックを処理することができる。影響を受けるセルのエリア内のユーザ装置に提供されるサービスに対する、否定的な影響を軽減する他の仕組みも存在する。例えば、ユーザ装置は、他の無線技術からセル・カバレッジを探してもよい（例えば、広帯域符号分割多元接続（ＷＣＤＭＡ）に基づくユーザ装置は、グローバル・システム・フォー・モバイル通信（ＧＳＭ）に基づくネットワークからサービスを探してもよい）。ＷＣＤＭＡに基づくユーザ装置は、ＧＳＭに基づくネットワークからの受信が可能な最良のセルを選択する。しかしながら、ＧＳＭに基づくネットワークからのサービスは、エンド・ユーザの期待を満足できないかもしれない（例えば、ＧＳＭに基づくネットワークではビデオ通話を行うことはできない）。
【０００３】
セルの機能が停止したセル内の一部の不運なユーザに対して、その影響を受けたユーザの範囲内において検出可能な他のセル（又は基地局）が存在しないかもしれない。そのようなユーザは、いかなるサービスをも受けない、又は不十分なサービスのみを受けることとなるかもしれない。そのようなユーザに対するサービスの向上のための１つの提案解は、影響を受けるセルのエリアにおけるセル・カバレッジとサービスを向上させるために、影響を受けるセルの周囲の複数のセルの構成を変化させることを含む。そのような変化は、周囲のセルの１以上の基地局と関連する、出力電力の増加、及びアンテナの方向（例えば、チルト、方位角、高さ）の変化などを含んでもよい。
【０００４】
セル（又は基地局）が圏外となる理由は多数あり、様々な理由が、その圏外セルにより提供されるサービスに、異なる影響を与える。１つの例において、圏外セル（又は基地局）は、電力の喪失、伝送障害、アンテナ故障、非冗長装置の故障などに起因する（例えば、そのセルからあらゆるサービスが受信されない）全般的なセルの障害を起こしているかもしれない。もう１つの例では、圏外セル（又は基地局）は、部分的な伝送障害、送信電力の減少、受信器の能力の欠如、処理能力の減少などに起因して、（例えば、当該セルから限定されたサービスが受信される）部分的なセルの障害を起こしているかもしれない。
【０００５】
しかしながら、セルラネットワークにおける圏外セルに対する、（例えば、出力電力の変更や周囲の基地局のアンテナ構成の変化のような）大幅で自動の変化を実施することは、圏外セルへサービスしようともする補助セルにより正常にサービスを受けているユーザに悪影響を与えるおそれがある。言い換えると、圏外セルにおけるユーザが被るサービスの問題は、補助セルに関連するユーザに広がる。
【０００６】
いくつかの場合、圏外セルのエリアにおけるユーザへ提供されるサービスがここで補助セルと共有されるため、これは容認可能なソリューションである。他の場合、いくつかのセルがその他のセルより重要であるため、これは容認できないソリューションである。例えば、ビジーなエリア、庁舎、主要なビジネス街、輸送機関の場所（例えば、鉄道の駅や空港など）、主要高速幹線道路などにサービスするセルからのリソースを、セルの機能が停止した通常のセル（例えば、比較的ビジーでないエリアのような他のエリアにサービスするセル）に再割り当てすることは容認することができないかもしれない。しかしながら、通常のセルからセルの機能が停止したセル、ビジーなエリア、庁舎、主要なビジネス街、輸送機関の場所、主要高速幹線道路などにサービスするセルへリソースを導くことは容認可能かもしれない。
【発明の概要】
【発明が解決しようとする課題】
【０００７】
本発明の目的は、上述の不利点の少なくともいくつかを克服することであり、補助セルが圏外セルと関連するユーザにサービスするべきであるかを判定してもよいように、（例えば時間情報、セルの負荷情報などに基づき）セルに優先度を与えることである。
【課題を解決するための手段】
【０００８】
ここで説明される実施形態は、様々な要因（例えば、距離情報、セルの負荷情報など）に基づいて、セルラネットワークにおけるセルに優先度を割り当てるシステムおよび／または方法を提供するかもしれない。システムおよび／または方法は、セルに優先度を割り当てるときに、２以上の優先度の段階（例えば、低優先度、中優先度、高優先度など）を用いてもよい。セルの機能停止が発生する（又はセルが過負荷状態などになる）と、システムおよび／または方法は、（例えば優先度が割り当てられた）補助セルが、（例えば当該補助セルと同一または異なる優先度が割り当てられた）圏外セルに関連するユーザにサービスしようとすべきかを判定するのに、割り当てられた優先度を用いてもよい。例えば、システムおよび／または方法は、セルラネットワークの１つのセルに高優先度を割り当て、セルラネットワークのもう１つのセルに、（例えばその高優先度より低い）低優先度を割り当ててもよい。そのような構成では、高優先度のセルにおいてサービスの機能停止があった場合、システムおよび／または方法は、低優先度のセルを介して、高優先度のセルに関連するユーザに一時的なサービスを提供してもよい。低優先度のセルにおいてサービスの機能停止があった場合、システムおよび／または方法は、高優先度のセルを介して、低優先度のセルと関連するユーザに一時的なサービスを提供しないでもよい。代わりにおよび／または追加的に、システムおよび／または方法は、高優先度のセルが軽い負荷状態である場合、高優先度のセルを介して、低優先度のセルに関連するユーザに一時的なサービスを提供してもよい。
【０００９】
この実施形態の１つの典型的な実装においては、システムおよび／または方法はセルラネットワークにおけるセルと関連する情報（例えばビジネス情報、時間情報、セルの負荷情報、距離情報など）を受信してもよく、受信した情報に基づいてセルの優先度を決定してもよく、また、セルに決定された優先度を割り当ててもよい。システムおよび／または方法は、セルに関連するサービスの機能停止を検出してもよく、また、圏外セルに割り当てられた優先度以下の優先度を有する１以上の隣接セルから、当該セルに一時的なサービスを提供してもよい。
【００１０】
この実施形態のもう１つの典型的な実装においては、システムおよび／または方法は、様々な技術（例えばLong Term Evolution（ＬＴＥ）、ＷＣＤＭＡ、ＧＳＭなど）のうちで、セルの優先度を決定してもよい。例えば、ＬＴＥに基づくセルに障害があり、そのセルのエリアはＧＳＭおよび／またはＷＣＤＭＡによってもカバーされている場合、システムおよび／または方法は、障害があるＬＴＥに基づくセルに対するサービスを提供するために、ＧＳＭ又はＷＣＤＭＡに基づくセルを調整（例えば、電力、チルト、ハンドオーバーパラメータなどを介して、セルサイズを調整）してもよい。
【００１１】
ここで説明されるシステムおよび／または方法は、ネットワーク（例えばセルラネットワーク）が、圏外セルからネットワークの他のセルへの障害の広がりを制御し、制限することを可能とし、自動的に圏外セルを修正することを可能とする。セルの優先度を導入することにより、システムおよび／または方法は、ネットワーク（および／またはネットワークオペレータ）が、ネットワークにおける健康なセルにより提供されるサービスへの否定的な影響を与えるかもしれないアクションを決定するときに、ネットワークに関連するビジネスの態様（例えば、あるセルがビジーおよび／または重要なエリアをサポートしてもよい）を考慮に入れることを可能とするかもしれない。
【図面の簡単な説明】
【００１２】
【図１】ここで説明されるシステムおよび方法が実装されてもよい典型的なネットワークの図。
【図２】図１に描かれた基地局の典型的な構成要素の図。
【図３】図１に描かれた無線ネットワーク制御装置（ＲＮＣ）の典型的な構成要素の図。
【図４】図１に描かれたドメインマネージャの典型的な構成要素の図。
【図５】図１に描かれたネットワークの典型的な部分の構成要素間の典型的な相互作用の図。
【図６】図１に描かれたネットワークの典型的な部分の構成要素が受信および／または生成可能な典型的な情報の図。
【図７Ａ】図１に描かれたネットワークの典型的な部分の構成要素間の典型的な相互作用の図。
【図７Ｂ】図１に描かれたネットワークの典型的な部分の構成要素間の典型的な相互作用の図。
【図７Ｃ】図１に描かれたネットワークの典型的な部分の構成要素間の典型的な相互作用の図。
【図７Ｄ】図１に描かれたネットワークの典型的な部分の構成要素間の典型的な相互作用の図。
【図８】ここで説明される実施形態にしたがって、セルに優先度を割り当て、割り当てられた優先度に基づいて圏外セルに一時的なサービスを提供するための典型的な処理のフローチャート。
【図９】ここで説明される実施形態にしたがって、セルに優先度を割り当て、割り当てられた優先度に基づいて圏外セルに一時的なサービスを提供するための典型的な処理のフローチャート。
【図１０】ここで説明される実施形態にしたがって、セルに優先度を割り当て、割り当てられた優先度に基づいて圏外セルに一時的なサービスを提供するための典型的な処理のフローチャート。
【図１１】ここで説明される実施形態にしたがって、セルに優先度を割り当て、割り当てられた優先度に基づいて圏外セルに一時的なサービスを提供するための典型的な処理のフローチャート。
【図１２】ここで説明される実施形態にしたがって、セルに優先度を割り当て、割り当てられた優先度に基づいて圏外セルに一時的なサービスを提供するための典型的な処理のフローチャート。
【発明を実施するための形態】
【００１３】
以下の詳細な説明は、添付の図面を参照する。異なる図面における同一の参照番号は、同一または同様の要素を特定してもよい。また、以下の詳細な説明は、本発明を制限しない。
【００１４】
ここで説明される実施形態は、補助セルが圏外セルと関連するユーザにサービスするべきかを判定してもよいように、（例えば、時間情報、セルの負荷情報などに基づいて）セルに優先度を与えるシステムおよび／または方法を提供するであろう。
【００１５】
図１は、ここで説明されるシステムおよび方法が実装されてもよい典型的なネットワーク１００を描いたものである。図示のように、ネットワーク１００は、一群のユーザ装置（ＵＥ）１１０−１〜１１０−Ｌ（選択的に、そして場合によっては個別に、「ユーザ装置１１０」と呼ぶ）、無線アクセスネットワーク（ＲＡＮ）１２０、及びコアネットワーク（ＣＮ）１３０を含んでもよい。簡単のため、図１においては、４つのユーザ装置１１０、１つの無線アクセスネットワーク１２０、および１つのコアネットワーク１３０を図示した。実際は、より多くのユーザ装置１１０、無線アクセスネットワーク１２０、および／またはコアネットワーク１３０が存在してもよい。また、場合によっては、ネットワーク１００における構成要素（例えば、１以上のユーザ装置、無線アクセスネットワーク１２０、およびコアネットワーク１３０）は、ネットワーク１００における他の構成要素または一群の構成要素により実行されるように説明される、１以上の機能を実行してもよい。１つの実施形態では、ネットワーク１００は、図１に描かれているものと異なる装置を含んでもよく、様々な標準（例えばLong Term Evolution（ＬＴＥ）など）をサポートしてもよく、また、異なる専門用語（例えば、無線ネットワーク制御装置（ＲＮＣ）の代わりに基地局コントローラ（ＢＳＣ）、など）を用いてもよい。
【００１６】
ユーザ装置１１０は、音声および／またはデータの、無線アクセスネットワーク１２０への送信および／または無線アクセスネットワーク１２０からの受信が可能な１以上の装置を含んでもよい。ユーザ装置１１０は、例えば、無線電話機、（例えば、セルラ無線電話機に、データ処理およびデータ通信機能を組み合わせてもよい）パーソナル・コミュニケーション・システム（ＰＣＳ）の端末、（例えば、無線電話機、ページャ、インターネット／イントラネットアクセスなどを含むことができる）パーソナル・デジタル・アシスタント（ＰＤＡ）、ラップトップなどを含んでもよい。
【００１７】
無線アクセスネットワーク１２０は、音声および／またはデータを、ユーザ装置１１０およびコアネットワーク１３０へ送信、および／またはユーザ装置１１０およびコアネットワーク１３０から受信するための１以上の装置を含んでもよい。図解するように、無線アクセスネットワーク１２０は、一群の基地局（ＢＳｓ）１２２−１〜１２２−Ｍ（選択的におよび場合によっては個別に「基地局１２２」と呼ぶ）、一群の無線ネットワーク制御装置（ＲＮＣｓ）１２４−１〜１２４−Ｎ（選択的におよび場合によって、個別に「無線ネットワーク制御装置１２４」と呼ぶ）、およびドメインマネージャ１２６を含んでもよい。簡単のため、図１には、４つの基地局１２２、２つの無線ネットワーク制御装置１２４、および１つのドメインマネージャを示している。実際は、より多くの、またはより少ない基地局１２２および／または無線ネットワーク制御装置１２４、およびより多くのドメインマネージャ１２６が存在してもよい。また、場合によっては、無線アクセスネットワーク１２０における構成要素（例えば１以上の基地局１２２、無線ネットワーク制御装置１２４、およびドメインマネージャ１２６）は、無線アクセスネットワーク１２０の他の構成要素または一群の構成要素により実行されるように説明される、１以上の機能を実行してもよい。
【００１８】
基地局１２２（「Ｎｏｄｅ  Ｂ」とも呼ぶ）は、音声および／またはデータを無線ネットワーク制御装置１２４から受信し、その音声および／またはデータをユーザ装置１１０へエアインタフェースを介して送信する１以上の装置を含んでもよい。基地局１２２はまた、音声および／またはデータをユーザ装置１１０からエアインタフェース上で受信し、その音声および／またはデータを無線ネットワーク制御装置１２４または他のユーザ装置１１０へ送信する１以上の装置を含んでもよい。１つの実施形態において、基地局１２２のそれぞれは、１以上のユーザ装置１１０にサービスを提供してもよい（例えばネットワーク１００において）１以上のセルを作り出してもよい。
【００１９】
無線ネットワーク制御装置１２４は、基地局１２２を制御し管理する１以上の装置を含んでもよい。無線ネットワーク制御装置１２４はまた、無線ネットワークサービスの利用を管理するためのデータ処理を実行する装置を含んでもよい。無線ネットワーク制御装置１２４は、音声およびデータを基地局１２２、他の無線ネットワーク制御装置１２４、および／またはコアネットワーク１３０へ送信し、および／または当該基地局１２２、他の無線ネットワーク制御装置１２４、および／またはコアネットワーク１３０から受信する。
【００２０】
無線ネットワーク制御装置１２４は、コントローリング無線ネットワーク制御装置（ＣＲＮＣ）、ドリフト無線ネットワーク制御装置（ＤＲＮＣ）、またはサービング無線ネットワーク制御装置（ＳＲＮＣ）の機能を果たしてもよい。ＣＲＮＣは、基地局１２２のリソースの制御に関与してもよい。一方、ＳＲＮＣは、特定のユーザ装置１１０にサービスしてもよく、そのユーザ装置１１０へ向かう接続を管理してもよい。同様に、ＤＲＮＣはＳＲＮＣと同様の役割を実行してもよい（例えば、ＳＲＮＣと特定のユーザ装置１１０との間のトラフィックをルーティングしてもよい）。
【００２１】
図１に図解するように、無線ネットワーク制御装置１２４は、Ｉｕｂインタフェースを介して基地局１２２へ接続してもよく、他の無線ネットワーク制御装置１２４へはＩｕｒインタフェースを介して接続してもよい。
【００２２】
コアネットワーク１３０は、音声および／またはデータを、回線交換および／またはパケット交換ネットワークへ転送し、その回線交換および／またはパケット交換ネットワークから受信する１以上の装置を含んでもよい。１つの実施形態において、コアネットワーク１３０は、例えば、モバイル・スイッチング・センタ（ＭＳＣ）、ゲートウェイＭＳＣ（ＧＭＳＣ）、メディアゲートウェイ（ＭＧＷ）、サービング汎用パケット無線システム（ＧＰＲＳ）サポートノード（ＳＧＳＮ）、ゲートウェイＧＰＲＳサポートノード（ＧＧＳＮ）、および／または他の装置を含んでもよい。
【００２３】
１つの実施形態において、ネットワーク１００は、図１に示されていない１以上の他の装置を含んでもよい。例えば、ネットワーク１００は、オペレーションおよびサポートシステム（ＯＳＳ）および／またはネットワークマネージャを含んでもよい。ＯＳＳは、基地局１２２を制御し管理する１以上の装置、および無線ネットワークサービスの利用を管理するためのデータ処理を実行する１以上の装置を含んでもよい。ＯＳＳは、音声およびデータを基地局１２２、他のＯＳＳ、および／またはネットワークマネージャへ送信し、基地局１２２、他のＯＳＳ、および／またはネットワークマネージャから受信してもよい。ＯＳＳは、ネットワークの一覧表の維持、サービスの提供、ネットワーク要素の構成、および／または障害の管理のような処理を補助してもよい。１つの実施形態では、ＯＳＳは、注文処理、会計、課金およびコスト管理、ネットワーク一覧表、サービス提供、ネットワークデザイン、ネットワークの発見および調停、トラブルおよび障害の管理、容量管理、ネットワーク管理、フィールドサービス管理などのような、ネットワーク１００に対するサービスを提供してもよい。
【００２４】
ネットワークマネージャは、ネットワーク１００を監視し、運営する１以上の装置を含んでもよい。ネットワークマネージャは、ネットワーク１００のオペレーション、メンテナンス、管理、および／またはプロビジョニングのような、サービスを提供してもよい。ネットワーク１００のオペレーションに関しては、ネットワークマネージャ１００は、ネットワーク１００が円滑に動作することを保証し、ネットワーク１００の動作中に起こり得るあらゆる障害を監視し、そしてその障害によりネットワーク１００のユーザが影響を受ける前に当該障害を捉えて回復させようとしてもよい。ネットワーク１００の管理については、ネットワークマネージャは、ネットワーク１００に関連するリソースを追跡し、どのようにネットワーク１００のユーザに当該リソースを割り当てるかを決定してもよい。ネットワークマネージャは、ネットワーク１００の構成要素に対して、必要とされる改修と修理を行うこと、および装置構成パラメータをネットワーク１００がより円滑に動作するように調節することにより、ネットワーク１００の維持を提供してもよい。ネットワークマネージャは、ネットワーク１００により提供されるサービスを必要とするかもしれない新規顧客を補助するために、ネットワーク１００におけるリソースを構成することにより、ネットワーク１００のプロビジョニングを提供してもよい。１つの実施形態では、ネットワークマネージャは、ネットワーク１００のリソースを制御し、計画し、割り当て、配置し、調整し、そして監視してもよく、また、ネットワーク１００に対する、ネットワーク計画、周波数割り当て、負荷分散をサポートするための所定のトラフィックのルーティング、構成管理、会計管理、帯域幅管理、性能管理、セキュリティ管理、および／または障害管理を提供してもよい。もう１つの実施形態では、ネットワークマネージャは、ドメインマネージャ１２６の機能を実行してもよく、ドメインマネージャを置き換えてもよい。
【００２５】
１つの典型的な実施形態では、基地局１２２、無線ネットワーク制御装置１２４、ドメインマネージャ１２６、ＯＳＳ、および／またはネットワークマネージャのような１以上の装置は、ここで説明される動作を実行してもよい。例えば、装置は、ネットワーク１００における（例えば複数の基地局１２２のうちの１つにより提供される）セルに関連する情報（例えば、ビジネス情報、時間情報、セルの負荷情報、距離情報など）を受信してもよく、受信情報に基づいてセルに対する優先度を決定してもよく、そして、セルに決定した優先度を割り当ててもよい。装置は、セルに関連するサービスの機能停止を検出し、そのセルに割り当てられた優先度以下の優先度を有する１以上の隣接セルから、そのセルへ一時的なサービスを提供してもよい。
【００２６】
図２は、基地局１２２の典型的な構成要素の図を示している。図２に示すように、基地局１２２は、アンテナ２１０、送受信機（ＴＸ／ＲＸ）２２０、処理システム２３０およびＩｕｂインタフェース（Ｉ／Ｆ）２４０を含んでもよい。
【００２７】
アンテナ２１０は、１以上の指向性および／または無指向性アンテナを含んでもよい。送受信機２２０は、アンテナ２１０と関連付けられていてもよく、ネットワーク１００のようなネットワークにおいて、アンテナ２１０を介してシンボル系列を送信および／または受信するための送受信回路を含んでもよい。
【００２８】
処理システム２３０は、基地局１２２の動作を制御してもよい。処理システム２３０は、また、送受信機２２０およびＩｕｂインタフェース２４０を介して受信した情報を処理してもよい。処理システム２３０は、さらに、接続の品質及び強度を測定してもよく、ユーザ装置への距離を判定し、この情報を無線ネットワーク制御装置１２４へ送信してもよい。図示されるように、処理システム２３０は、処理部２３２およびメモリ２３４を含んでもよい。
【００２９】
処理部２３２は１以上のプロセッサ、マイクロプロセッサ、特定応用集積回路（ＡＳＩＣ）、フィールド・プログラマブル・ゲート・アレイ（ＦＰＧＡ）、または同様のものを含んでもよい。処理部２３２は、送受信機２２０およびＩｕｂインタフェース２４０を介して受信された情報を処理してもよい。その処理は、例えば、データ変換、前方誤り訂正（ＦＥＣ）、レート・アダプテーション、広帯域符号分割多重接続（ＷＣＤＭＡ）の拡散／逆拡散、直交位相変調（ＱＰＳＫ）などを含んでもよい。さらに、処理部２３２は制御メッセージおよび／またはデータメッセージを送信してもよく、また、送受信機２２０および／またはＩｕｂインタフェース２４０を介して、それらの制御メッセージおよび／またはデータメッセージを送信させてもよい。処理部２３２は、また、送受信機２２０および／またはＩｕｂインタフェース２４０から受信した、制御メッセージおよび／またはデータメッセージを処理してもよい。
【００３０】
メモリ２３４は、処理部２３２により使われてもよいデータおよび命令を記憶するための、ランダム・アクセス・メモリ（ＲＡＭ）、リード・オンリー・メモリ（ＲＯＭ）、および／またはその他の種類のメモリを含んでもよい。
【００３１】
Ｉｕｂインタフェース２４０は、基地局１２２がデータを無線ネットワーク制御装置１２４およびネットワーク１００の他の装置へ送信し、データを無線ネットワーク制御装置１２４およびネットワーク１００の他の装置から受信することができるようにする１以上のラインカード（line card）を含んでもよい。
【００３２】
ここで説明されるように、基地局１２２は、メモリ２３４のようなコンピュータ可読媒体に含まれるアプリケーションのソフトウェアの命令を処理部２３２が実行することに応答して、ある動作を実行してもよい。コンピュータ可読媒体は、物理的または論理的なメモリ装置として定められてもよい。論理的なメモリ装置は、１つの物理的なメモリ装置の範囲内にある、または複数の物理的なメモリ装置に散在するメモリ空間を含んでもよい。ソフトウェアの命令は、他のコンピュータ可読媒体から、またはアンテナ２１０および送受信機２２０を介して他の装置から、メモリ２３４に読み込まれてもよい。メモリ２３４に含まれるソフトウェアの命令は、ここで説明される処理を処理部２３２に実行させてもよい。代わりに、ここで説明される処理を実装するためのソフトウェアの命令の代わりに、又は、ソフトウェアの命令と組み合わせて、固有の回路を用いてもよい。このように、ここで説明される実施形態は、いかなる特定のハードウェア回路およびソフトウェアの組み合わせにも限定されない。
【００３３】
図２は基地局１２２の典型的な構成要素を示すが、他の実施形態では、基地局１２２は、図２に描かれるのと比べて、より少ない、異なる、異なる構成の、又は追加の構成要素を含んでもよい。さらなる他の実施形態では、基地局１２２の１以上の構成要素は、基地局１２２の１以上の他の構成要素により実行されるように説明される、１以上の他のタスクを実行してもよい。
【００３４】
図３は無線ネットワーク制御装置１２４の典型的な構成要素の図を示す。図３に示されるように、無線ネットワーク制御装置１２４は、処理システム３１０、Ｉｕｂインタフェース３２０、Ｉｕｒインタフェース３３０、および／または他のインタフェース３４０を含んでもよい。
【００３５】
処理システム３１０は、無線ネットワーク制御装置１２４の動作を制御してもよい。図示するように、処理システム３１０は、処理部３１２およびメモリ３１４を含んでもよい。処理部３１２は、Ｉｕｂインタフェース３２０、Ｉｕｒインタフェース３３０、および他のインタフェース３４０の間のプロトコル交換を実行してもよい。さらに、処理部３１２は、制御メッセージおよび／またはデータメッセージを生成し、それらの制御メッセージおよび／またはデータメッセージをインタフェース３２０〜３４０を介して送信してもよい。処理部３１２はまた、インタフェース３２０〜３４０から受信した制御メッセージおよび／またはデータメッセージを処理してもよい。１つの実施形態において、処理部３１２は１以上のプロセッサ、マイクロプロセッサ、ＡＳＩＣ、ＦＰＧＡ、又は同様のものを含んでもよい。メモリ３１４は、処理部３１２により使用されてもよいデータおよび命令を記憶するためのＲＡＭ、ＲＯＭ、および／または他の種別のメモリを含んでもよい。
【００３６】
Ｉｕｂインタフェース３２０は、無線ネットワーク制御装置１２４が、制御メッセージおよび／またはデータメッセージを基地局１２２へ送信し、基地局１２２から制御メッセージおよび／またはデータメッセージを受信することができるようにする、１以上のラインカードを含んでもよい。Ｉｕｒインタフェース３３０は、無線ネットワーク制御装置１２４が、制御メッセージおよび／またはデータメッセージを他の無線ネットワーク制御装置へ送信し、他の無線ネットワーク制御装置から制御メッセージおよび／またはデータメッセージを受信することができるようにする１以上のデータカードを含んでもよい。他のインタフェース３４０は、他の装置および／またはネットワークへのインタフェースを含んでもよい。例えば、他のインタフェース３４０は、回線交換型の音声ネットワークへのコアネットワークのインタフェースであるＩｕｃｓインタフェースや、パケット交換型のデータネットワークへのコアネットワークのインタフェースであるＩｕｐｓインタフェースを含んでもよい。
【００３７】
ここで説明されるように、無線ネットワーク制御装置１２４は、メモリ３１４のようなコンピュータ可読媒体に含まれるアプリケーションのソフトウェア命令を処理部３１２が実行することに応答して、ある動作を実行してもよい。ソフトウェア命令は、他のコンピュータ可読媒体または他の装置からメモリ３１４に読み込まれてもよい。メモリ３１４に含まれたソフトウェア命令は、処理部３１２にここで説明される処理を実行させてもよい。代わりに、ここで説明される処理を実装するためのソフトウェアの命令の代わりに、又は、ソフトウェアの命令と組み合わせて、固有の回路を用いてもよい。このように、ここで説明される実施形態は、いかなる特定のハードウェア回路およびソフトウェアの組み合わせにも限定されない。
【００３８】
図３は無線ネットワーク制御装置１２４の典型的な構成要素を示すが、他の実施形態では、無線ネットワーク制御装置１２４は、図３に描かれるのと比べて、より少ない、異なる、異なる構成の、又は追加の構成要素を含んでもよい。さらなる他の実施形態では、無線ネットワーク制御装置１２４の１以上の構成要素は、無線ネットワーク制御装置１２４の１以上の他の構成要素により実行されるように説明される、１以上の他のタスクを実行してもよい。
【００３９】
図４は、ドメインマネージャ１２６の典型的な構成要素の図を示している。他の実施形態では、図４は、図１と関連して上で説明したＯＳＳまたはネットワークマネージャに対応してもよい装置の典型的な構成要素を図示しているかもしれない。図４に図示するように、ドメインマネージャ１２６は、バス４１０、処理部４２０、メインメモリ４３０、ＲＯＭ４４０、記憶装置４５０、入力装置４６０、出力装置４７０および／または通信インタフェース４８０を含んでもよい。バス４１０は装置３００の構成要素間の通信を可能にするパスを含んでもよい。
【００４０】
処理部４２０は、命令を解釈し、実行するかもしれない１以上のプロセッサ、マイクロプロセッサ、又は他の種類のプロセッサを含んでもよい。メインメモリ４３０は、情報及び処理部４２０による実行のための命令を記憶するかもしれない、ＲＡＭまたは他の種類の動的記憶装置を含んでもよい。ＲＯＭ４４０は、処理部４２０により使用される静的情報および／または命令を記憶するかもしれないＲＯＭ装置または他の種類の静的記憶装置を含んでもよい。記憶装置４５０は、磁気の、および／または光学の記憶媒体と、その対応するドライブを含んでもよい。
【００４１】
入力装置４６０は、キーボード、マウス、ペン、マイクロホン、音声認識および／またはバイオメトリック装置、タッチスクリーンなどのような、オペレータがドメインマネージャ１２６へ情報を入力することを可能にする仕組みを含んでもよい。出力装置４７０は、ディスプレイ、プリンタ、スピーカなどを含み、情報をオペレータに出力する仕組みを含んでもよい。通信インタフェース４８０は、ドメインマネージャ１２６が他の装置および／またはシステムと通信することを可能とする、送受信機のようなあらゆる仕組みを含んでもよい。例えば、通信インタフェース４８０は、ネットワーク１００のようなネットワークを介して、他の装置またはシステムと通信をするための仕組みを含んでもよい。
【００４２】
ここで説明するように、ドメインマネージャ１２６は、メインメモリ４３０のようなコンピュータ可読媒体に含まれるソフトウェア命令を処理部４２０が実行したことに応答して、ある動作を実行してもよい。ソフトウェア命令は、記憶装置４５０のような他のコンピュータ可読媒体から、又は通信インタフェース４８０を介して他の装置から、メインメモリ４３０に読み出してもよい。メインメモリ４３０に含まれるソフトウェア命令は、ここで説明する処理を処理部４２０に実行させてもよい。代わりに、ここで説明される処理を実装するためのソフトウェアの命令の代わりに、又は、ソフトウェアの命令と組み合わせて、固有の回路を用いてもよい。このように、ここで説明される実施形態は、いかなる特定のハードウェア回路およびソフトウェアの組み合わせにも限定されない。
【００４３】
図４は、ドメインマネージャ１２６の典型的な構成要素を示すが、他の実施形態では、ドメインマネージャ１２６は、図４に描かれるのと比べて、より少ない、異なる、異なる構成の、又は追加の構成要素を含んでもよい。さらなる他の実施形態では、ドメインマネージャ１２６の１以上の構成要素は、ドメインマネージャ１２６の１以上の他の構成要素により実行されるように説明される、１以上の他のタスクを実行してもよい。
【００４４】
図５は、ネットワーク１００の典型的な部分５００の構成要素間における典型的な相互作用の図を描いている。図解のように、典型的なネットワークの部分５００は基地局１２２−１、１２２−２、１２２−３および１２２−Ｍと、ドメインマネージャ１２６とを含んでもよい。基地局１２２−１、１２２−２、１２２−３および１２２−Ｍは、例えば図１および図２に関連して、上で説明した特徴を含んでもよい。ドメインマネージャ１２６は、例えば図１および図４に関連して、上で説明した特徴を含んでもよい。代わりに、ドメインマネージャ１２６は、図１に関連して上で説明した、１以上の無線ネットワーク制御装置１２４、ＯＳＳ、および／またはネットワークマネージャと置き換えられてもよい。
【００４５】
図５に示すように、基地局１２２−１は、第１のセルのカバレッジエリア（セル−１）５１０−１を提供してもよく、基地局１２２−２は、第２のセルのカバレッジエリア（セル−２）５１０−２を提供してもよく、基地局１２２−３は、第３のセルのカバレッジエリア（セル−３）５１０−３を提供してもよく、そして基地局１２２−Ｍは、その他の１つのセルのカバレッジエリア（セル−Ｍ）５１０−Ｍを提供してもよい。図５にさらに示すように、ドメインマネージャ１２６は、第１のセルのカバレッジエリアに（例えば基地局１２２−１に）、第１の優先度（Ｐ１）５２０−１を割り当ててもよく、第２のセルのカバレッジエリアに（例えば基地局１２２−２に）、第２の優先度（Ｐ２）５２０−２を割り当ててもよく、第３のセルのカバレッジエリアに（例えば基地局１２２−３に）、第３の優先度（Ｐ３）５２０−３を割り当ててもよく、その他のセルのカバレッジエリアに（例えば基地局１２２−Ｍに）、その他の優先度（ＰＭ）５２０−Ｍを割り当ててもよい。
【００４６】
１つの実施形態においては、第１の優先度５２０−１は第２の優先度５２０−２より高くてもよく、第２の優先度５２０−２は第３の優先度５２０−３より高くてもよく、第３の優先度５２０−３は他の優先度５２０−Ｍより高くてもよい。他の実施形態においては、優先度５２０−１、５２０−２、５２０−３および５２０−Ｍは、変動する順序でランク付けされてもよい。優先度５２０−１、５２０−２、５２０−３および５２０−Ｍは、セルのカバレッジエリア５１０−１、５１０−２、５１０−３および５１０−Ｍに関連するいろいろな要因に基づいて割り当てられてもよい。例えば、特定のセルのカバレッジエリアが、官庁、主要なビジネス街、輸送機関の場所（例えば鉄道の駅、空港など）、主要な高速幹線道路などのような、ビジーまたは重要なエリア（例えば、限界量のユーザ、限界量のサービス利用、又はいくつかの他の種類の測定可能な基準を有する位置）と関連する場合、ドメインマネージャ１２６はその特定のセルのカバレッジエリアに、さほどビジーでないエリア（例えば田舎道、周辺道路、住居地域など）のような、通常の領域と関連するセルのカバレッジエリアより高い優先度を割り当ててもよい。
【００４７】
１つの実施形態において、ドメインマネージャ１２６は、時刻および／または位置情報に応じて、異なる優先度５２０−１、５２０−２、５２０−３、５２０−Ｍを割り当ててもよい。例えば、ドメインマネージャ１２６は、（例えば競技場またはビジネス街と関連する）セルに、異なる時刻において、より高い、または、より低い優先度を割り当ててもよい（例えば、競技場は、スポーツ競技がある夜には、競技が行われていない日中より高い優先度を有してもよい）。
【００４８】
もう１つの実施形態においては、ドメインマネージャ１２６は、セルに関連する負荷に応じて異なる優先度５２０−１、５２０−２、５２０−３、５２０−Ｍを割り当ててもよい。例えば、ドメインマネージャ１２６は、大量に使用され、または重い負荷のセルに、より少なく使用されまたはより負荷が少ないセルに割り当てられる優先度より高い優先度を割り当ててもよい（例えば、第１のセルのカバレッジエリア５１０−１が、第２のセルのカバレッジエリア５１０−２より重い負荷を負っている場合、ドメインマネージャ１２６は、第１のセルのカバレッジエリア５１０−１に第２のセルのカバレッジエリア５１０−２より高い優先度を割り当ててもよい）。
【００４９】
さらにもう１つの実施形態においては、ドメインマネージャ１２６は、圏外セルと関連するユーザ装置への距離に基づいて、異なる優先度５２０−１、５２０−２、５２０−３、５２０−Ｍを割り当ててもよい。例えば、ドメインマネージャ１２６は、圏外セルからより離れたセルに、当該圏外セルにより近いセルに割り当てる優先度より高い優先度を割り当ててもよい。ドメインマネージャ１２６は圏外セルから離れたセルが補助セルとして作動しないように、そして、圏外セルに最も近いセルが補助セルとして作動するように、優先度５２０−１、５２０−２、５２０−３、５２０−Ｍを割り当ててもよい。ドメインマネージャ１２６は、セルの重なり、実行されたハンドオーバの数、サービスを提供しているユーザの数、ユーザに関連する加入者情報（例えばビジネスユーザ、プレミアムユーザなど）などに基づいて、最も近いセルを判定してもよい。
【００５０】
さらなる実施形態においては、ドメインマネージャ１２６は、自動的に異なる優先度５２０−１、５２０−２、５２０−３、５２０−Ｍを割り当ててもよい。例えば、ドメインマネージャ１２６は、セルのカバレッジエリア５１０−１、５１０−２、５１０−３および５１０−Ｍ、セルのカバレッジエリア５１０−１、５１０−２、５１０−３および５１０−Ｍの重畳するエリアなどにおいて送信されたトラフィックに基づいて、自動で優先度５２０−１、５２０−２、５２０−３、５２０−Ｍを付与してもよい。もう１つの実施形態では、ドメインマネージャ１２６は、ドメインマネージャ１２６により自動的に付与された優先度と、ネットワークオペレータにより定められた優先度との組み合わせに基づいて、セルに対する最終的な優先度を決定してもよい。
【００５１】
図５は、ネットワークの部分５００の典型的な構成要素を示すが、他の実施形態では、ネットワークの部分５００は、図５に描かれるのと比べて、より少ない、異なる、異なる構成の、又は追加の構成要素を含んでもよい。さらなる他の実施形態では、ネットワークの部分５００の１以上の構成要素は、ネットワークの部分５００の１以上の他の構成要素により実行されるように説明される、１以上の他のタスクを実行してもよい。
【００５２】
図６は、ネットワーク１００の典型的な部分６００の構成要素により受信できる、および／または生成できる典型的な情報の図を示している。図示のように、典型的なネットワークの部分６００は、ドメインマネージャ１２６を含んでもよい。ドメインマネージャ１２６は、例えば図１と図４に関連して、上で説明した特徴を含んでいてもよい。代わりに、ドメインマネージャ１２６は、図１に関連して上で説明した、１以上の無線ネットワーク制御装置１２４、ＯＳＳ、および／またはネットワークマネージャと置き換えられてもよい。
【００５３】
図６に示すように、ドメインマネージャ１２６は時間情報６１０を受信してもよく、時間に基づく優先度６２０を生成してもよい。時間情報６１０は、曜日、時刻などに関する情報を含んでいてもよい。時間に基づく優先度６２０は、時間情報６１０に基づく（セルに割り当てられる）優先度を含んでもよい。例えば、ドメインマネージャ１２６は、（例えば、競技場またはビジネス街に関連する）セルに対して、異なる時刻において、より高い、又はより低い、時間に基づく優先度６２０を割り当ててもよい（例えば、競技場は、スポーツ競技がある夜には、競技が行われていない日中より高い優先度を有してもよい）。
【００５４】
さらに図６に示すように、ドメインマネージャ１２６は、セルの負荷情報６３０を受信してもよく、セルの負荷情報６３０に基づいて、セル負荷に基づく優先度６４０を生成してもよい。セルの負荷情報６３０は、セルのリソースの使用、セルのトラフィックなどに関する情報を含んでもよい。セル負荷に基づく優先度６４０は、セルに関連する負荷によって決まる（例えばセルに割り当てられる）優先度を含んでもよい。例えば、ドメインマネージャ１２６は、大量に使用されている又は負荷の重いセルに、あまり使用されていないまたは負荷の重くないセルに割り当てられる優先度より高い、セル負荷に基づく優先度６４０を割り当ててもよい。
【００５５】
またさらに図６に示すように、ドメインマネージャ１２６は、距離情報６５０を受信してもよく、距離情報６５０に基づいて、距離に基づく優先度６６０を生成してもよい。距離情報６５０は、１以上の圏外セルと関連するユーザ装置への距離に関連する情報を含んでもよい。ドメインマネージャ１２６は、セルの重なり、実行されたハンドオーバの数、サービスしているユーザの数、ユーザに関連する加入者情報（例えばビジネスユーザ、プレミアムユーザなど）などに基づいて、距離情報６５０を判定してもよい。距離に基づく優先度６６０は、圏外セルと関連するユーザ装置への距離に基づく（例えばセルに割り当てられる）優先度を含んでもよい。例えば、ドメインマネージャ１２６は、圏外セルからより離れたセルに、当該圏外セルにより近いセルに割り当てられる優先度より高い、距離に基づく優先度６６０を割り当ててもよい。ドメインマネージャ１２６は、圏外セルから離れたセルが補助セルとして作動しないように、そして圏外セルに最も近いセルが補助セルとして作動するように、距離に基づく優先度６６０を割り当ててもよい。
【００５６】
また、図６に示すように、ドメインマネージャ１２６は、ユーザ入力６７０と自動入力６８０を受信してもよく、ユーザ入力６７０および／または自動入力６８０に基づいて、入力に基づく優先度６９０を生成してもよい。ユーザ入力６７０は、（例えば、ネットワーク１００（図１）に関連する）ネットワークオペレータにより定められる優先度を含んでもよい。自動入力６８０は、（例えば時間情報６１０、セルの負荷情報６３０、距離情報６５０、セルのカバレッジエリアにおいて送信されたトラフィック、セルのカバレッジエリアの重なり、および／または前述の情報の組み合わせに基づいて）ドメインマネージャ１２６により自動的に付与される優先度を含んでもよい。入力に基づく優先度６９０はユーザ入力６７０により供給された優先度および自動入力６８０により供給された優先度の組み合わせに基づく（例えばセルに割り当てられる）優先度を含んでもよい。例えば、ドメインマネージャ１２６は、ネットワークオペレータにより定められた（例えばユーザ入力６７０を介する）優先度と、ドメインマネージャ１２６により自動的に付与された（例えば自動入力６８０を介する）優先度の組み合わせに基づいて、セルに対する入力に基づく優先度６９０を決定してもよい。
【００５７】
図６は、ネットワークの部分６００の典型的な構成要素により受信できる、および／または生成できる典型的な情報を示すが、他の実施形態では、ネットワークの部分６００は、図６に描かれるのと比べて、より少ない、異なる、又は追加の情報を受信し、生成してもよい。例えば、１つの実施形態においては、ドメインマネージャ１２６は、セルと関連するビジネス情報（例えば、セルが官庁、主要なビジネス街、輸送機関の場所（例えば鉄道の駅、空港など）、主要な高速幹線道路などにサービスしているか）を受信してもよく、そのビジネス情報に基づいてそのセルに対する優先度を決定してもよい。もう１つの実施形態では、ドメインマネージャ１２６はセルと関連するユーザ重要性情報（例えば、重要なユーザ（例えば、一国の大統領、政府高官、映画スターなど）がセル内にいるか）を受信してもよく、そのユーザ重要性情報に基づいてそのセルに対する優先度を決定してもよい。
【００５８】
図７Ａ〜図７Ｄは、ネットワーク１００の典型的な部分７００の構成要素間の典型的な相互作用の図を描いている。図示するように、典型的なネットワークの部分７００は、ユーザ装置１１０−１、１１０−２および１１０−３を含んでもよい。ユーザ装置１１０−１、１１０−２および１１０−３は、例えば図１と関連して、上で説明した特徴を含んでもよい。
【００５９】
図７Ａに示すように、ユーザ装置１１０−１は第１の優先度のセルのカバレッジエリア（Ｐ１セル）７１０−１と関連付けられてもよく、もう１つの第１の優先度のセルのカバレッジエリア（Ｐ１セル）７１０−２がＰ１セル７１０−１に隣接して提供されてもよい。ユーザ装置１１０−２は、第２の優先度のセルのカバレッジエリア（Ｐ２セル）７２０−１と関連付けられてもよく、他の２つの第２の優先度のセルのカバレッジエリア（Ｐ２セル）７２０−２、７２０−３がＰ２セル７２０−１に隣接して提供されてもよい。ユーザ装置１１０−３は、第３の優先度のセルのカバレッジエリア（Ｐ３セル）７３０−１と関連付けられてもよく、もう１つの第３の優先度のセルのカバレッジエリア（Ｐ３セル）７３０−２がＰ３セル７３０−１に隣接して提供されてもよい。図７Ａ〜図７Ｄに描かれる典型的な実施形態においては、Ｐ１セル７１０−１および７１０−２は、Ｐ２セル７２０−１、７２０−２および７２０−３に割り当てられた優先度より高い優先度を有し、Ｐ２セル７２０−１、７２０−２および７２０−３は、Ｐ３セル７３０−１および７３０−２に割り当てられた優先度より高い優先度を有することを仮定してもよい。さらに、Ｐ１セル７１０−１および７１０−２に割り当てられた優先度は互いに等しく、Ｐ２セル７２０−１、７２０−２および７２０−３に割り当てられた優先度はそれぞれ等しく、Ｐ３セル７３０−１および７３０−２は互いに等しいことを仮定してもよい。
【００６０】
図７Ｂに示すように、Ｐ１セル７１０−１が圏外である場合、Ｐ１セル７１０−１がユーザ装置１１０−１にサービスすることができないため、ユーザ装置１１０−１はサービスを喪失するかもしれない。１つの例において、Ｐ１セル７１０−１は、電力の不足、伝送の障害、アンテナの障害、非冗長装置の故障などに起因して、（例えば、そのセルからあらゆるサービスが受信されない）全体的なセル障害となるかもしれない。もう１つの例においては、Ｐ１セル７１０−１は、部分的な伝送の障害、送信電力の減少、受信器能力の喪失、処理能力の減少などに起因して、（例えば、そのセルから限定されたサービスが受信される）部分的なセル障害となるかもしれない。１つの実施形態において、圏外セル（例えばＰ１セル７１０−１）がその所望のカバレッジエリアにおいて、ユーザ装置（例えばユーザ装置１１０−１）にサービスを提供できないことを判定してもよい。判定は、Ｐ１セル７１０−１と関連する圏外の基地局、その圏外の基地局に接続したドメインマネージャ１２６、および／またはネットワーク１００のその他のノード（例えば、無線ネットワーク制御装置１２４の１つ、ＯＳＳ、ネットワークマネージャなど）により実行されてもよい。圏外セル（例えばＰ１セル７１０−１）がサービスを提供できないと判定された場合、圏外セルの近傍における代替（または「補助」）セルの集合は、例えば、その補助セルに割り当てられた優先度に基づいて、（例えば圏外の基地局、無線ネットワーク制御装置１２４の１つ、ＯＳＳ、ネットワークマネージャなどにより）判定されてもよい。例えば、ユーザ装置１１０−１は最高の優先度を有するセル（例えばＰ１セル７１０−１）に関連していたため、補助セルは、その最高の優先度以下の優先度を有する隣接する他のセル（例えばＰ１セル７１０−２）を含んでもよい。
【００６１】
さらに図７Ｂに示すように、Ｐ１セル７１０−１が圏外である場合、Ｐ１セル７１０−２、Ｐ２セル７２０−１、７２０−２並びに７２０−３、およびＰ３セル７３０−１は、これらのセルに割り当てられた優先度と、ユーザ装置１１０−１からのそのセルの距離とに基づいて、ユーザ装置１１０−１に対する最も好ましい補助セルを構成してもよい。このように、ユーザ装置１１０−１は、Ｐ１セル７１０−２、Ｐ２セル７２０−１、７２０−２並びに７２０−３、およびＰ３セル７３０−１からサービス７４０を受けてもよい。それぞれのサービス７４０は、Ｐ１セル７１０−１により以前に提供されたサービスの部分を含んでもよい。１つの実施形態において、Ｐ１セル７１０−２、Ｐ２セル７２０−１、７２０−２並びに７２０−３、およびＰ３セル７３０−１により提供されるサービス７４０の組み合わせが、Ｐ１セル７１０−１により以前に提供されたサービスに対応してもよい。
【００６２】
図７Ｃに示すように、Ｐ２セル７２０−１が圏外である場合、Ｐ２セル７２０−１がユーザ装置１１０−２にサービスすることができないため、ユーザ装置１１０−２はサービスを喪失するかもしれない。１つの例において、Ｐ２セル７２０−１は、（例えば、そのセルからあらゆるサービスが受信されない）全体的なセル障害、または、（例えば、そのセルから限定されたサービスが受信される）部分的なセル障害となるかもしれない。１つの実施形態において、圏外セル（例えばＰ２セル７２０−１）がその所望のカバレッジエリアにおいて、ユーザ装置（例えばユーザ装置１１０−２）にサービスを提供できないことを判定してもよい。判定は、Ｐ２セル７２０−１と関連する圏外の基地局、その圏外の基地局に接続したドメインマネージャ１２６、および／またはネットワーク１００のその他のノード（例えば、無線ネットワーク制御装置１２４の１つ、ＯＳＳ、ネットワークマネージャなど）により実行されてもよい。圏外セル（例えばＰ２セル７２０−１）がサービスを提供できないと判定された場合、圏外セルの近傍における代替（または「補助」）セルの集合は、例えば、その補助セルに割り当てられた優先度に基づいて、（例えば圏外の基地局、無線ネットワーク制御装置１２４の１つ、ＯＳＳ、ネットワークマネージャなどにより）判定されてもよい。例えば、ユーザ装置１１０−２は第２の優先度を有するセル（例えばＰ２セル７２０−１）に関連していたため、補助セルは、その第２の優先度以下の優先度を有する隣接する他のセル（例えばＰ２セル７２０−２）を含んでもよい。
【００６３】
さらに図７Ｃに示すように、Ｐ２セル７２０−１が圏外である場合、Ｐ２セル７２０−２並びに７２０−３、およびＰ３セル７３０−１は、これらのセルに割り当てられた優先度と、ユーザ装置１１０−２からのそのセルの距離とに基づいて、ユーザ装置１１０−２に対する最も好ましい補助セルを構成してもよい。このように、ユーザ装置１１０−２は、Ｐ２セル７２０−２並びに７２０−３、およびＰ３セル７３０−１からサービス７５０を受けてもよい。それぞれのサービス７５０は、Ｐ２セル７２０−１により以前に提供されたサービスの部分を含んでもよい。１つの実施形態において、Ｐ２セル７２０−２並びに７２０−３、およびＰ３セル７３０−１により提供されるサービス７５０の組み合わせが、Ｐ２セル７２０−１により以前に提供されたサービスに対応してもよい。
【００６４】
図７Ｄに示すように、Ｐ３セル７３０−１が圏外である場合、Ｐ３セル７３０−１がユーザ装置１１０−３にサービスすることができないため、ユーザ装置１１０−３はサービスを喪失するかもしれない。１つの例において、Ｐ３セル７３０−１は、（例えば、そのセルからあらゆるサービスが受信されない）全体的なセル障害、または、（例えば、そのセルから限定されたサービスが受信される）部分的なセル障害となるかもしれない。１つの実施形態において、圏外セル（例えばＰ３セル７３０−１）がその所望のカバレッジエリアにおいて、ユーザ装置（例えばユーザ装置１１０−３）にサービスを提供できないことを判定してもよい。判定は、Ｐ３セル７３０−１と関連する圏外の基地局、その圏外の基地局に接続したドメインマネージャ１２６、および／またはネットワーク１００のその他のノード（例えば、無線ネットワーク制御装置１２４の１つ、ＯＳＳ、ネットワークマネージャなど）により実行されてもよい。圏外セル（例えばＰ３セル７３０−１）がサービスを提供できないと判定された場合、圏外セルの近傍における代替（または「補助」）セルの集合は、例えば、その補助セルに割り当てられた優先度に基づいて、（例えば圏外の基地局、無線ネットワーク制御装置１２４の１つ、ＯＳＳ、ネットワークマネージャなどにより）判定されてもよい。例えば、ユーザ装置１１０−３は第３の優先度を有するセル（例えばＰ３セル７３０−１）に関連していたため、補助セルは、その第３の優先度以下の優先度を有する隣接する他のセル（例えばＰ３セル７３０−２）を含んでもよい。
【００６５】
さらに図７Ｄに示すように、Ｐ３セル７３０−１が圏外である場合、Ｐ３セル７３０−２は、このセルに割り当てられた優先度と、ユーザ装置１１０−３からのそのセルの距離とに基づいて、ユーザ装置１１０−３に対する最も好ましい補助セルを構成してもよい。このように、ユーザ装置１１０−３は、Ｐ３セル７３０−２からサービス７６０を受けてもよい。１つの実施形態において、Ｐ３セル７３０−２により提供されるサービス７６０は、Ｐ３セル７３０−１により以前に提供されたサービスに対応してもよい。
【００６６】
図７Ａ〜図７Ｄは、ネットワークの部分７００の典型的な構成要素を示すが、他の実施形態では、ネットワークの部分７００は、図７Ａ〜図７Ｄに描かれるのと比べて、より少ない、異なる、異なる構成の、又は追加の構成要素を含んでもよい。さらなる他の実施形態では、ネットワークの部分７００の１以上の構成要素は、ネットワークの部分７００の１以上の他の構成要素により実行されるように説明される、１以上の他のタスクを実行してもよい。１つの典型的な実施形態では、高優先度のセルの負荷が軽い場合、高優先度のセルは、低優先度のセルに関連付けられているユーザに、一時的なサービスを提供してもよい。そのような状況においては、高優先度のセルの優先度は、（例えば負荷が軽い状況において）同じ状態のままであってよいが、ネットワーク１００（例えばドメインマネージャ１２６）は、当該高優先度のセルが補助セルとして含まれてもよいように、その高い優先度を黙認してもよい。代わりに、ネットワーク１００（例えばドメインマネージャ１２６）は、負荷の軽い優先度の高いセルの優先度を、一時的に低くしてもよい。
【００６７】
図８〜図１２は、ここで説明される実施形態による、セルへ優先度を割り当て、割り当てられた優先度に基づいて圏外セルへ一時的なサービスを提供するための典型的な処理８００のフローチャートを図解している。１つの実施形態では、処理８００は、圏外の基地局（例えば複数の基地局１２２のうちの１つ）、無線ネットワーク制御装置１２４の１つ、ドメインマネージャ１２６、ＯＳＳ、および／またはネットワークマネージャにより実行されてもよい。他の実施形態では、いくつかのまたは全ての処理８００は、（例えば基地局１２２、無線ネットワーク制御装置１２４、ドメインマネージャ１２６、ＯＳＳおよび／またはネットワークマネージャと通信を行う）他の装置または一群の装置により実行されてもよい。
【００６８】
図８に示すように、処理８００は、ネットワークにおけるセルに関連する情報の受信（ブロック８１０）、受信情報に基づくセルに対する優先度の決定（ブロック８２０）、およびセルに対する決定した優先度の割り当て（ブロック８３０）から始めてもよい。例えば、図６に関連して上で説明した実施形態では、ドメインマネージャ１２６は時間情報６１０を受信してもよく、時間に基づく優先度６２０を生成してもよい。時間情報６１０は、曜日、時刻などに関連する情報を含んでもよい。時間に基づく優先度６２０は、時間情報６１０に基づく（例えばセルに割り当てられる）優先度を含んでもよい。ドメインマネージャ１２６は、セルの負荷情報６３０を受信してもよく、セルの負荷情報６３０に基づいてセル負荷に基づく優先度６４０を生成してもよい。セルの負荷情報６３０は、セルのリソース利用、セルのトラフィックなどと関連する情報を含んでもよい。セル負荷に基づく優先度６４０は、セルに関連する負荷によって決まる（例えばセルに割り当てられる）優先度を含んでもよい。ドメインマネージャ１２６は、距離情報６５０を受信してもよく、距離情報６５０に基づいて、距離に基づく優先度６６０を生成してもよい。距離情報６５０は、１以上の圏外セルと関連するユーザ装置への距離に関連する情報を含んでもよい。距離に基づく優先度６６０は、圏外セルと関連するユーザ装置への距離に基づく（例えばセルに割り当てられる）優先度を含んでもよい。
【００６９】
さらに図８に示すように、セルに関連するサービスの機能停止が検出されてもよく（ブロック８４０）、そのセルに割り当てられた優先度以下の優先度を有する１以上の隣接セルから、一時的なサービスがそのセルに提供されてもよい（ブロック８５０）。例えば、図７Ｂと関連して上で説明した実施形態において、圏外セル（例えばＰ１セル７１０−１）がその所望のカバレッジエリアにおいて、ユーザ装置（例えばユーザ装置１１０−１）にサービスを提供できないことが判定されてもよい。判定は、Ｐ１セル７１０−１と関連する圏外の基地局、その圏外の基地局に接続したドメインマネージャ１２６、および／またはネットワーク１００のその他のノードにより実行されてもよい。圏外セル（例えばＰ１セル７１０−１）がサービスを提供できないと判定された場合、圏外セルの近傍における代替（または「補助」）セルの集合は、例えば、補助セルに割り当てられた優先度に基づいて判定されてもよい。ユーザ装置１１０−１は最高の優先度を有するセル（例えばＰ１セル７１０−１）に関連していたため、補助セルは、その最高の優先度以下の優先度を有する隣接する他のセル（例えばＰ１セル７１０−２）を含んでもよい。したがって、Ｐ１セル７１０−２、Ｐ２セル７２０−１、７２０−２並びに７２０−３、およびＰ３セル７３０−１は、これらのセルに割り当てられた優先度と、ユーザ装置１１０−１からのそのセルの距離とに基づいて、ユーザ装置１１０−１に対する最も好ましい補助セルを構成してもよい。このように、ユーザ装置１１０−１は、Ｐ１セル７１０−２、Ｐ２セル７２０−１、７２０−２並びに７２０−３、およびＰ３セル７３０−１からサービス７４０を受けてもよい。それぞれのサービス７４０は、Ｐ１セル７１０−１により以前に提供されたサービスの部分を含んでもよい。
【００７０】
処理ブロック８１０は、図９に描かれる処理ブロックを含んでもよい。図９に図解されるように、処理ブロック８１０は、セルに関連するビジネス情報の受信（ブロック９００）、セルに関連する時間情報の受信（ブロック９１０）、セルに関連するセルの負荷情報の受信（ブロック９２０）、セルに関連する距離情報の受信（ブロック９３０）、および／または、セルに関連するユーザおよび／または自動入力情報の受信（ブロック９４０）を含んでもよい。例えば、図６に関連して上で説明した実施形態においては、ドメインマネージャ１２６は、セルと関連するビジネス情報（例えば、セルが官庁、主要なビジネス街、輸送機関の場所（例えば鉄道の駅、空港など）、主要な高速幹線道路などにサービスを提供しているか）を受信してもよい。ドメインマネージャ１２６は、曜日、時刻などに関する情報を含むかもしれない時間情報６１０を受信してもよい。ドメインマネージャ１２６は、セルのリソースの使用、セルのトラフィックなどに関する情報を含むかもしれないセルの負荷情報６３０を受信してもよい。ドメインマネージャ１２６は、１以上の圏外セルと関連するユーザ装置への距離に関連する情報を含むかもしれない距離情報６５０を受信してもよい。ドメインマネージャ１２６は、ユーザ入力６７０と自動入力６８０を受信してもよい。ユーザ入力６７０は、（例えば、ネットワーク１００（図１）に関連する）ネットワークオペレータにより定められる優先度を含んでもよい。自動入力６８０は、ドメインマネージャ１２６により自動的に付与される優先度を含んでもよい。
【００７１】
処理ブロック８２０は、図１０に描かれる処理ブロックを含んでもよい。図１０に図解されるように、処理ブロック８２０は、セルに関連するビジネス情報に基づく優先度の決定（ブロック１０００）、セルに関連する時間情報に基づく優先度の決定（ブロック１０１０）、セルに関連するセルの負荷情報に基づく優先度の決定（ブロック１０２０）、セルに関連する距離情報に基づく優先度の決定（ブロック１０３０）、および／または、セルに関連するユーザおよび／または自動入力情報に基づく優先度の決定（ブロック１０４０）を含んでもよい。例えば、図６に関連して上で説明した実施形態においては、ドメインマネージャ１２６は、セルに関連するビジネス情報に基づいて、セルに対する優先度を決定してもよい。ドメインマネージャ１２６は、時間情報６１０に基づいて時間に基づく優先度６２０を生成してもよい。ドメインマネージャ１２６は、セルの負荷情報６３０に基づいてセル負荷に基づく優先度６４０を生成してもよい。ドメインマネージャ１２６は、距離情報６５０に基づいて、距離に基づく優先度６６０を生成してもよい。ドメインマネージャ１２６は、ユーザ入力６７０および／または自動入力６８０に基づいて、入力に基づく優先度６９０を生成してもよい。ドメインマネージャ１２６は、ネットワークオペレータにより定められた（例えばユーザ入力６７０を介する）優先度と、ドメインマネージャ１２６により自動的に付与された（例えば自動入力６８０を介する）優先度の組み合わせに基づいて、セルに対する入力に基づく優先度６９０を決定してもよい。
【００７２】
処理ブロック８４０は、図１１に描かれる処理ブロックを含んでもよい。図１１に図解されるように、処理ブロック８４０は、セルの部分的な障害の検出（ブロック１１００）またはセルの全体的な障害の検出（ブロック１１１０）を含んでもよい。例えば、図７Ｂに関連して上で説明した実施形態においては、Ｐ１セル７１０−１が圏外となった場合、Ｐ１セル７１０−１がユーザ装置１１０−１にサービスすることができないため、ユーザ装置１１０−１はサービスを喪失するかもしれない。１つの例において、Ｐ１セル７１０−１は、電力の不足、伝送の障害、アンテナの障害、非冗長装置の故障などに起因して、（例えば、そのセルからあらゆるサービスが受信されない）全体的なセル障害となるかもしれない。もう１つの例においては、Ｐ１セル７１０−１は、部分的な伝送の障害、送信電力の減少、受信器能力の喪失、処理能力の減少などに起因して、（例えば、そのセルから限定されたサービスが受信される）部分的なセル障害となるかもしれない。
【００７３】
処理ブロック８５０は、図１２に描かれる処理ブロックを含んでもよい。図１２に図解されるように、処理ブロック８５０は、１以上の隣接セルに関連する情報の受信（ブロック１２００）、および受信情報に基づく１以上の隣接セルへの優先度の割り当て（ブロック１２１０）を含んでもよい。例えば、１つの実施形態においては、ドメインマネージャ１２６、またはネットワーク１００のその他のノード（例えば、無線ネットワーク制御装置１２４の１つ、ＯＳＳ、ネットワークマネージャなど）は、ネットワーク１００に関連するセルのそれぞれについて、図６に描かれる情報（例えば、時間情報６１０、セルの負荷情報６３０、距離情報６５０、ユーザ入力６７０、自動入力６８０、ビジネス情報など）を受信してもよい。ドメインマネージャ１２６は、ネットワーク１００に関連するセルのそれぞれに、受信情報に基づいて優先度を割り当ててもよい。
【００７４】
ここで説明した実施形態は、セルラネットワークにおけるセルに様々な要因に基づいて優先度を割り当てるシステムおよび／または方法を提供してもよい。システムおよび／または方法は、セルに優先度を割り当てる際、２以上の優先度の段階を利用してもよい。セルの機能停止が発生した場合、システムおよび／または方法は、（例えば優先度が割り当てられた）補助セルが、（例えば補助セルと同一のまたは異なる優先度を割り当てられた）圏外セルに関連するユーザにサービスしようとすべきかを判定するのに、割り当てられた優先度を使用してもよい。システムおよび／または方法は、セルラネットワークの１つのセルに高優先度を、セルラネットワークのもう１つのセルに（例えば高優先度より低い）低優先度を割り当ててもよい。そのような構成においては、高優先度のセルにおいてサービスの機能停止があった場合、システムおよび／または方法は、高優先度のセルに関連するユーザに、低優先度のセルを介して、一時的なサービスを提供してもよい。低優先度のセルにおいてサービスの機能停止があった場合、システムおよび／または方法は、低優先度のセルに関連するユーザに高優先度のセルを介して一時的なサービスを提供しないでもよい。代わりに、および／または追加的に、システムおよび／または方法は、高優先度のセルの負荷が軽い場合、低優先度のセルに関連するユーザに、高優先度のセルを介して一時的なサービスを提供してもよい。
【００７５】
システムおよび／または方法は、ネットワーク（例えばセルラネットワーク）が、圏外セルからネットワークの他のセルへの障害の広がりを制御し制限することを可能とするかもしれず、自動的に圏外セルを修正することを可能とするかもしれない。セルの優先度を導入することにより、システムおよび／または方法は、ネットワーク（および／またはネットワークオペレータ）が、ネットワークにおける健康なセルにより提供されるサービスへの否定的な影響を与えるかもしれないアクションを決定するときに、ネットワークに関連するビジネスの態様（例えば、あるセルがビジーおよび／または重要なエリアをサポートするかもしれない）を考慮に入れることを可能とするかもしれない。
【００７６】
前述の実施形態の説明は図解と説明を与えるが、発明を網羅し、まさに開示された形態に限定することを意図していない。変更や変形は、上の教示を考慮して可能であり、本発明の実践から習得されるかもしれない。例えば、一連のブロックが、図８〜図１２に関して説明されたが、他の実施形態においては、ブロックの順序は変更されてもよい。さらに、依存しない複数のブロックは同時に実行してもよい。
【００７７】
この明細書で使用されるとき、用語「備える／備えた（comprises／comprising）」は記載された特徴、整数、ステップまたは構成要素の存在を特定するのに選ばれるが、１以上の他の特徴、整数、ステップ、構成要素、および一群のそれらの存在、又は追加を排除しないことが強調されるべきである。
【００７８】
上で述べたように、典型的な態様は、図に示される実施形態において、ソフトウェア、ファームウェア、およびハードウェアの多くの異なる形式で実装されるかもしれないことは明らかであろう。これらの態様を実装するのに用いられる実際のソフトウェアのコードまたは専門のハードウェアは、限定するように説明されるべきではない。したがって、その態様の動作および振る舞いは、具体的なソフトウェアのコードを伴わずに説明された−ここでの説明に基づく態様を実装するためにソフトウェアと制御ハードウェアを設計することができることは理解されるべきである。
【００７９】
特徴の特定の組み合わせが特許請求の範囲で列挙され、および／または明細書で開示されているが、これらの組み合わせは、本発明を制限することを意図しない。実際に、これらの特徴の多くが、具体的に特許請求の範囲に列挙されない、および／または明細書に開示されない方法において、組み合わされてもよい。
【００８０】
本出願において用いられる要素、ブロックまたは命令は、明示的にそのように説明されない限り、本発明に欠かせない、又は本発明に絶対に必要であるものとして解釈されるべきではない。また、ここで用いられるように、冠詞「a」は１以上の項目を含むことを意図している。１つの項目のみを意図する場合、用語「１つの（one）」または同様の言葉使いを用いる。さらに、フレーズ「〜に基づいて」は、別に明確に記載しない限りは、「少なくとも部分的に、基づいて」を意味することを意図している。
【図１】
0005350494.tif 000002
【図２】
0005350494.tif 000003
【図３】
0005350494.tif 000004
【図４】
0005350494.tif 000005
【図５】
0005350494.tif 000006
【図６】
0005350494.tif 000007
【図７Ａ】
0005350494.tif 000008
【図７Ｂ】
0005350494.tif 000009
【図７Ｃ】
0005350494.tif 000010
【図７Ｄ】
0005350494.tif 000011
【図８】
0005350494.tif 000012
【図９】
0005350494.tif 000013
【図１０】
0005350494.tif 000014
【図１１】
0005350494.tif 000015
【図１２】
0005350494.tif 000016